(57)【要約】【課題】施錠・解錠表示機構を有する平面ハンドルを提供することを目的とする。【解決手段】縦長形状のハンドル３の一端がハンドルを収容するハウジング２に対して回動可能に取り付けられ、ハンドル３の他端にシリンダ錠４が設けられてハンドル３を収容するハウジング２に対してロックされる平面ハンドル１において、ハンドル３の表面にシリンダ錠４の施錠・解錠状態表示用の開口６が設けられ、シリンダ錠４の裏面にその回転軸に対して偏心した位置に係合手段７が設けられ、ハンドル３の裏面側に設けられてハンドル３の長手方向へ延びるガイド手段１８ａ，１８ｂに沿って往復動可能な表示部材８が係合手段７に係合し、係合手段７が回転軸の周りで旋回運動したとき表示部材８が往復運動して表示部材８に設けられた施錠・解錠表示部９の施錠と解錠との表示が開口６に交互に現れる。【選択図】図３
2007217930.tif 000002
【特許請求の範囲】
【請求項１】
縦長形状のハンドルの一端が前記ハンドルを収容するハウジングに対して回動可能に取り付けられ、前記ハンドルの他端にシリンダ錠が設けられて前記ハンドルを収容するハウジングに対してロックされる平面ハンドルにおいて、
前記ハンドルの表面に前記シリンダ錠の施錠・解錠状態表示用の開口が設けられ、前記シリンダ錠の裏面にその回転軸に対して偏心した位置に係合手段が設けられ、
前記ハンドルの裏面側に設けられて前記ハンドルの長手方向へ延びるガイド手段に沿って往復動可能な表示部材が前記係合手段に係合し、
前記係合手段が前記回転軸の周りで旋回運動したとき前記表示部材が往復運動して前記表示部材に設けられた施錠・解錠表示部の施錠と解錠との表示が前記開口に交互に現れることを特徴とする前記平面ハンドル。
【請求項２】
前記係合手段は係合ピンであり、
前記表示部材は前記係合ピンに係合可能な係合孔を有し、
前記係合孔は前記往復動に直交する方向の方が長い長穴形状である請求項１に記載の平面ハンドル。
【請求項３】
前記表示部材の端部が前記ハウジングに設けられたロック孔に対して進入可能に退出して設けられて前記ハンドルを前記ハウジングに対してロック可能な請求項１または２に記載の平面ハンドル。
【発明の詳細な説明】
【技術分野】
【０００１】
本発明は、施錠・解錠表示機構を有する平面ハンドルに関する。
【背景技術】
【０００２】
従来、電気制御盤等の扉の施錠・解錠及び施錠・解錠を行うための装置として平面ハンドルが広く用いられ、種々の改良が図られている。例えば、本願出願人は特許文献１において平面ハンドルのハウジングに収納されたハンドルを旋回可能に支える支持ピンがハウジングから抜けることを防止する平面ハンドルを提案している。
【特許文献１】特開２００３−５６２１７号公報
【０００３】
ところで、平面ハンドルは電気制御盤等の扉の施錠等に用いられるものであり、安全上の理由で施錠・解錠状態を表示することが多い。しかし、平面ハンドルは扉に取り付けて用いる物なので扁平な形状であり、ハウジングとハンドルとの隙間が極めて狭隘で施錠・解錠表示機構の設置が困難であるため、これまで施錠・解錠表示機構を有する平面ハンドルは知られていない。このため、現状では開閉表示札を作成して扉に取り付けることが行われているが、誤表示がされる場合もあることから、施錠・解錠表示機構を有する平面ハンドルの必要性は明白である。
【発明の開示】
【発明が解決しようとする課題】
【０００４】
前記問題に鑑み、本発明は施錠・解錠表示機構を有する平面ハンドルを提供することを目的とする。
【課題を解決するための手段】
【０００５】
前記課題を解決するための本発明の前提は、縦長形状のハンドルの一端が前記ハンドルを収容するハウジングに対して回動可能に取り付けられ、前記ハンドルの他端にシリンダ錠が設けられて前記ハンドルを収容するハウジングに対してロックされる平面ハンドルである。
【０００６】
前記前提における本発明の特徴は、前記ハンドルの表面に施錠・解錠状態表示用の開口が設けられ、前記シリンダ錠の裏面にその回転軸に対して偏心した位置に係合手段が設けられ、前記ハンドルの裏面側に設けられて前記ハンドルの長手方向へ延びるガイド手段に沿って往復動可能な表示部材が前記係合手段に係合し、前記係合手段が前記回転軸の周りで旋回運動したとき前記表示部材が往復運動して前記表示部材に設けられた施錠・解錠表示部の施錠と解錠との表示が前記開口に交互に現れることである。
【０００７】
本発明の実施態様の一例は、前記係合手段は係合ピンであり、前記表示部材は前記係合ピンに係合可能な係合孔を有し、前記係合孔は前記往復動に直交する方向の方が長い長穴形状であることである。
本発明の実施態様の他の一例は、前記表示部材の端部が前記ハウジングに設けられたロック孔に対して進入可能に退出して設けられて前記ハンドルを前記ハウジングに対してロック可能なことである。
【発明の効果】
【０００８】
本発明によれば、施錠・解錠表示機構を有する平面ハンドルを提供することができる。特に、扁平で狭隘な平面ハンドル内に設置可能な施錠・解錠表示機構を有する平面ハンドルを提供することができる。
【発明を実施するための最良の形態】
【０００９】
添付の図を参照して、本発明に係る平面ハンドル１について説明する。図１は本発明に係る平面ハンドル１が扉Ｄに取り付けられた使用状態を表す斜視図である。なお、以下の説明で上下というときは図面上での方向をいう。また平面ハンドル１の長手方向に直交する方向を幅方向ということがある。
【００１０】
図１において、部分破断図で示されている扉Ｄは、同じく部分破断図で示されている固定枠Ｆに対して開閉可能である。平面ハンドル１は、扉Ｄの前面に設けられた取付孔（図示せず）に固定されるハウジング２と、縦長形状のハンドル３とからなる。ハンドル３はハウジング２に収容されてハウジング２に対して双頭矢印Ａ方向に沿って回動可能に取り付けられている。
【００１１】
ハンドル３の下端部にはロック爪２０を有するシリンダ錠４が設けられ、ロック爪２０がハウジング２に設けられたロック孔１１に進入、退出することにより、ハンドル３をハウジング２に対してロック・開放する。また、ハンドル３の表面にはシリンダ錠４の施錠・解錠状態、別言すればハンドル３のハウジング２に対するロック・開放を表示するための開口６が設けられている。さらに、後述するように、ハンドル３の裏面には施錠・解錠表示部９を有する表示部材８が、ハンドル３の開口６に施錠・解錠表示部９の施錠と開錠の表示が交互に現すように取付けられている。
【００１２】
本実施形態に係る平面ハンドル１で扉Ｄを開けるときは、まずシリンダ錠４を開錠し、ハンドル３の下端部を双頭矢印Ａの上方向へ起立させ、次いでハンドル３を反時計回りに回動させる。これによりハンドル３に連結された爪金具１３が双頭矢印Ｂの反時計回り方向に回り、爪金具１３が図１の実線で示した固定枠Ｆに係止された状態から、仮想線で示した固定枠Ｆから外れた状態になる。そしてハンドル３を手前に引くことにより扉Ｄを開けることができる。
【００１３】
次に図２、３を参照して平面ハンドル１の各部について説明する。図２は、図１でハンドル３がハウジング２に収容された状態でのＩＩ−ＩＩ断面図である。図３は平面ハンドル１を背後から見た分解斜視図である。
ハウジング２のハンドル３に対向する面には、ハンドル３の裏面側を収容可能な窪み形状に形成されたハンドル収納部１５が設けられている。さらに、ハンドル収納部１５の下端寄りにはハンドル３をハウジング２に対してロックするためのロック孔１１が設けられ、上端にはハウジング２を貫通するシャフト２１を挿通するためのシャフト孔２２が形成されている。また、ハウジング２の背面側の上下端にはネジ孔１４，１４が形成され、扉Ｄに形成された取付孔（図示せず）にハウジング２を嵌め込んでネジ止するようになっている。なお、シャフト２１には爪金具１３が取付けられるが、図２、３では爪金具１３は省略している。
【００１４】
次に、ハンドル３について説明する。
ハンドル３の上端には、シャフト２１に連結するためのシャフト取付け部２３が形成されている。本実施形態のシャフト取付け部２３は、ピン孔２４を有する一対のリブ３０，３０で形成されている(図３参照)。そして、末端が平板状に加工されてピン孔が穿孔されたシャフト２１の平板状の部分を前記リブ３０，３０の間に挿入し、ピン２５をリブ３０，３０のピン孔２４，２４に圧入してハンドル３とシャフト２１を連結する。
【００１５】
ハンドル３の下端側にはロック爪２０を有するシリンダ錠４が取付けられている。シリンダ錠４はハンドル３のホルダ部１７で保持されており、シリンダ錠４のハンドル３の表面側の面には鍵穴２６が設けられている。シリンダ錠４の裏面、すなわち鍵穴２６が設けられた面とは反対側の面には、回転軸から偏心した位置に設けられる係合手段である係合ピン７が設けられている。係合ピン７は、シリンダ錠４のキー操作によりその回転軸を中心として旋回する。係合ピン７は構造が単純で大きな設置場所を要しないため、狭隘な平面ハンドル１内部に設ける係合手段に適している。
ハンドル３には更に、往復動する表示部材８のガイド手段として機能する一対の側壁１８ａ，１８ｂがハンドル３の長手方向に沿って設けられている。側壁１８ａ，１８ｂをハンドル３と一体に形成することが強度を確保するためと製造コストを下げる上で好ましい。
【００１６】
また、ハンドル３には表示部材８と、ハンドル３に取付けられる裏蓋１６とが備えられている。
裏蓋１６は、ハンドル３との間に表示部材８を往復動可能に収納するものである。図２に示すように、裏蓋１６とホルダ部１７の間隔は表示部材８の厚みよりも僅かに大きくなるようにすることが好ましい。これにより、表示部材８が往復動する際のガタツキを抑えて、円滑に施錠・解錠表示を行なうことができる。なお裏蓋１６にはネジ孔３１が設けられてハンドル３の裏面にネジ止めされている。
【００１７】
図３に示すように、表示部材８はハンドル３の裏面に平行な第１の平坦部８ａと、第１の部分に直交して延びる直立部８ｂと、直立部８ｂに直交してハンドル３の裏面に平行な第２の平坦部８ｃとで構成されている。そして、表示部材８の上端側（第１の平坦部８ａ）のハンドル３の裏面に対向する面には施錠・解錠表示部９が設けられ、下端側（第２の平坦部８ｃ）には係合孔１０が穿孔されている。表示部材８の幅方向の寸法は、図３に示すように第１の平坦部８ａ、直立部８ｂおよび第２の平坦部８ｃの係合孔１０近傍を除いた部分では側壁１８ａ，１８ｂの幅方向内寸より僅かに小さく形成されている。これにより、表示部材８を側壁１８ａ，１８ｂの内面でガイドして円滑に往復動させることができる。
【００１８】
係合孔１０が設けられる第２の平坦部８ｃでは、係合孔１０の近傍に突起８ｄを設けてその幅方向寸法を他の部分より大きくすることにより、表示部材８に穿孔される係合孔１０と、第２の平坦部８ｃの両側縁との距離が長くなり、表示部材８の強度を確保することができる。なお、ハンドルの長手方向へ延びる側壁１８ａ，１８ｂの突起８ｄが通過する範囲は図３に示すように切り欠かれている。
【００１９】
表示部材８の施錠・解錠表示部９は、例えば赤と青の二色、あるいは開、閉の文字等で構成することができる。また、表示部材８の係合孔１０は、長手方向寸法は係合ピン７の直径より僅かに大きく、幅方向寸法は前記長手方向の寸法よりも大きい長孔形状に形成されている。
【００２０】
表示部材８は、その長手方向がハンドル３の長手方向に平行かつ往復動可能となるように、係合孔１０を介して係合ピン７に係合され、ハンドル３の裏面に取付けられる。このように板状部材８と係合ピン７とで構成された施錠・解錠表示機構はその設置場所の厚みが小さくてすむので、扁平で狭隘な平面ハンドル１内部に施錠・解錠表示機構を設置することが可能となる。
【００２１】
ハンドル３のハウジング２に対するロック・開放操作は、キー操作によりシリンダ錠４のロック爪２０をハウジング２に設けられたロック孔１１に進入、退出させることにより行われる。このハンドル３のハウジング２に対するロック・開放操作に伴い、ハンドル３の表面に設けられた開口６に施錠・解錠表示部９の施錠と解錠の表示が交互に現われる。以下、この施錠・解錠表示について説明する。
【００２２】
本実施形態では、シリンダ錠４に設けられた係合ピン７の旋回動作を、係合ピン７と係合する長穴形状の係合孔１０により表示部材８の往復動作に転換することで施錠・解錠表示を行う。以下図４を参照しながら、表示部材８による開口６での施錠・解錠表示について、ハンドル３がハウジング２にロックされているときに係合ピン７がシリンダ錠４の平面ハンドル１の最も下端に近い側に位置している場合を例に説明する。
【００２３】
図４は表示部材８の動作を説明するための模式図であり、図４（ａ）は係合ピン７が平面ハンドル１の最も下端に近い側にありハンドル３がロックされているとき、（ｂ）は係合ピン７がシリンダ錠４の回転軸を中心に図４（ａ）の矢印Ｒ方向に９０度旋回したとき、（ｃ）は係合ピン７が１８０度旋回してハンドル３が完全に開放されたときを表している。
図４（ａ）において、表示部材８の係合孔１０はシリンダ錠４に設けられた係合ピン７と係合している。また、施錠・解錠表示部９の「閉（施錠）」表示９ａが仮想線で示した開口６に現れており、「開（解錠）」表示９ｂはハンドル３の裏面に隠れている。さらに、表示部材８はハンドルの長手方向延びる側壁１８ａ，１８ｂに沿って往復動可能に取付けられている。
【００２４】
係合孔１０の長手方向寸法は係合ピン７の直径とほぼ同じであり、幅方向の方が長い長孔に形成されているので、係合ピン７は係合孔１０の中で幅方向にはスライド可能であるが長手方向にはスライドできない。このため、係合ピン７が上方に旋回するとき表示部材８を上方へ押し上げようとする。また、表示部材８の幅は側壁１８ａ，１８ｂの幅方向内寸より僅かに小さくに形成されているので、表示部材８の幅方向動への移動は側壁１８ａ，１８ｂにより規制される。この結果、表示部材８は係合ピン７が図４（ａ）の矢印Ｒで示したように上方に旋回すると、図４（ｂ）に示すように平面ハンドル１の長手方向上方に向けて移動することになる。この結果、係合ピン７が１８０度旋回してハンドル３が完全に開放されたときには図４（ｃ）のように施錠・解錠表示部９の「閉」表示９ａはハンドル３の裏面に隠れ、「開」表示９ｂが開口６に現れる。
【００２５】
逆にシリンダ錠４でハンドル３をロックするときには、表示部材８は係合ピン７の旋回に伴い平面ハンドル１の長手方向下方に向けて移動する。このようにして、表示部材８が往復運動して表示部材８に設けられた施錠・解錠表示部の「開」「閉」表示９ｂ，９ａが開口６に交互に現れる。
【００２６】
なお、係合ピン７は、シリンダ錠４が施錠状態のときにシリンダ錠４の裏面の平面ハンドル１の最も下端に近い側、または最も上端に近い側に設けることが好ましい。このような位置に設けると、係合ピン７の旋回量を最大限利用して表示部材８の往復動の振幅を大きくすることができるので、開口６に露出する施錠・解錠表示部９を大きくして施錠・解錠表示をより見易くすることができる。
【００２７】
また、本実施形態の変形例として、図５に示すように表示部材８の端部１２を利用してハンドル３をハウジング２にロック・開放する構成とすることもできる。すなわち、係合ピン７をシリンダ錠４が施錠状態のときにシリンダ錠４の裏面２７の下端に位置するように設け、表示部材８の下端側の端部１２をハウジング２の下端に設けたロック孔１１に進入する長さまで延ばし、シリンダ錠４が開放状態のときには表示部材８の端部１２がロック孔１１から退出するように構成することができる。
この構成によればロック爪２０が不要となり、より簡易な構成で狭隘な平面ハンドル１の内部に設置可能な施錠・解錠表示機構を有する平面ハンドル１を提供することができる。
【００２８】
以上、本発明に係る平面ハンドル１について実施形態に基づき説明したが、本発明はこれに限定されない。
例えば、本実施形態ではロック孔１１がハンドル収納部１５の下端部にある場合について説明したが、ロック孔１１の位置はこれに限定されず、ハンドル収納部１５の左側あるいは右側に設けて、ロック爪２０が進入、退出する構成とすることもできる。
【００２９】
あるいは、ハンドル３を手で引き上げる場合を例に説明したが、バネ付勢によりシリンダ錠４を開錠すると同時にハンドル３が起立するようにすることもできる。また、施錠・解錠表示用の開口６をシリンダ錠４より下に設けることもできる。本実施形態のようにハンドル３の中央付近から上に開口６を設けると、より見やすい位置で施錠・解錠表示を行うことができる。
【図面の簡単な説明】
【００３０】
【図１】平面ハンドルが扉に取り付けられた状態を表す斜視図。
【図２】図１のＩＩ−ＩＩ断面図。
【図３】平面ハンドルを背後から見た分解斜視図。
【図４】表示部材の動作を説明するための模式図。図４（ａ）は係合ピンが平面ハンドルの最も下端に近い側にあるとき、図４（ｂ）は係合ピンが９０度旋回したとき、図４（ｃ）は係合ピンが１８０度旋回したときを表している。
【図５】本発明の変形例を表す分解斜視図。
【符号の説明】
【００３１】
１    平面ハンドル
２    ハウジング
３    ハンドル
４    シリンダ錠
６    開口
７    係合ピン（係合手段）
８    表示部材
９    施錠・解錠表示部
１０    係合孔
１１    ロック孔
１２    端部
１８    側壁（ガイド手段）
【図１】
2007217930.tif 000003
【図２】
2007217930.tif 000004
【図３】
2007217930.tif 000005
【図４】
2007217930.tif 000006
【図５】
2007217930.tif 000007